(57)【特許請求の範囲】
【請求項１】
画面の表示を制御する表示制御装置であって、
長辺と短辺とを有する矩形状のタッチパネル部と、
前記タッチパネル部の左右方向が前記短辺となる第１表示状態と、前記タッチパネル部の左右方向が前記長辺となる第２表示状態と、を切り換える切り換え部と、
第１スクロール速度または、前記第１スクロール速度と異なる第２スクロール速度に調整する速度調整部と、
を備え、
前記第１スクロール速度は、前記第１表示状態におけるスクロール速度を示し、
前記第２スクロール速度は、前記第２表示状態におけるスクロール速度を示し、
スクロールの動作中に前記切り換え部が前記第１表示状態から前記第２表示状態に切り換えた場合に、前記速度調整部は、前記第１スクロール速度から前記第２スクロール速度に調整し、
スクロールの動作中に前記切り換え部が前記第１表示状態から前記第２表示状態に切り換えた場合であっても、前記長辺に対する前記短辺の比が閾値以上の場合、前記速度調整部は、スクロール速度を調整せず、
スクロールの動作中に前記切り換え部が前記第２表示状態から前記第１表示状態に切り換えた場合に、前記速度調整部は、前記第２スクロール速度から前記第１スクロール速度に調整し、
スクロールの動作中に前記切り換え部が前記第２表示状態から前記第１表示状態に切り換えた場合であっても、前記長辺に対する前記短辺の前記比が前記閾値以上の場合、前記速度調整部は、スクロール速度を調整しない、表示制御装置。
【請求項２】
スクロールの動作中に前記切り換え部が前記第１表示状態から前記第２表示状態に切り換えた場合に、前記速度調整部は、前記第１スクロール速度から前記第２スクロール速度に調整する、請求項１に記載の表示制御装置。
【請求項３】
スクロールの動作中に前記切り換え部が前記第２表示状態から前記第１表示状態に切り換えた場合に、前記速度調整部は、前記第２スクロール速度から前記第１スクロール速度に調整する、請求項１に記載の表示制御装置。
【請求項４】
前記第２スクロール速度は前記第１スクロール速度よりも遅い、請求項１に記載の表示制御装置。
【請求項５】
前記スクロールは、前記タッチパネル部に使用者の指が接触している状態で行われる接触スクロールと、前記タッチパネル部に使用者の指が接触していない状態で行われる慣性スクロールとを含む、請求項２に記載の表示制御装置。
【請求項６】
前記速度調整部は、前記長辺と前記短辺との比に基づいて、前記第１スクロール速度と前記第２スクロール速度とを設定する、請求項１に記載の表示制御装置。
【請求項７】
長辺と短辺とを有する矩形状のタッチパネル部を備え、画像の表示を制御する表示制御装置が実行する表示制御方法であって、
前記タッチパネル部の左右方向が前記タッチパネル部の前記短辺となる第１表示状態と、前記タッチパネル部の左右方向が前記タッチパネル部の前記長辺となる第２表示状態と、を切り換える切り換えステップと、
第１スクロール速度または、前記第１スクロール速度と異なる第２スクロール速度に調整する速度調整ステップと、
を備え、
前記第１スクロール速度は、前記第１表示状態におけるスクロール速度を示し、
前記第２スクロール速度は、前記第２表示状態におけるスクロール速度を示し、
スクロールの動作中に前記切り換えステップで前記第１表示状態から前記第２表示状態に切り換えた場合に、前記速度調整ステップでは、前記第１スクロール速度から前記第２スクロール速度に調整し、
スクロールの動作中に前記切り換えステップで前記第１表示状態から前記第２表示状態に切り換えた場合であっても、前記長辺に対する前記短辺の比が閾値以上の場合、前記速度調整ステップでは、スクロール速度を調整せず、
スクロールの動作中に前記切り換えステップで前記第２表示状態から前記第１表示状態に切り換えた場合に、前記速度調整ステップでは、前記第２スクロール速度から前記第１スクロール速度に調整し、
スクロールの動作中に前記切り換えステップで前記第２表示状態から前記第１表示状態に切り換えた場合であっても、前記長辺に対する前記短辺の前記比が前記閾値以上の場合、前記速度調整ステップでは、スクロール速度を調整しない、表示制御方法。
【発明の詳細な説明】
【技術分野】
【０００１】
本発明は、表示制御装置、及び表示制御方法に関する。
【背景技術】
【０００２】
従来、情報処理装置に表示される画面をスクロールすることができる装置が知られている。例えば、特許文献１に記載の情報処理装置は、タッチパネルに触れたまま指を移動させることで、表示画面をスクロールすることができる。
【先行技術文献】
【特許文献】
【０００３】
【特許文献１】特開平５−１００８０９号公報
【発明の概要】
【発明が解決しようとする課題】
【０００４】
しかしながら、特許文献１に記載の情報処理装置は、タッチパネルの画面の向きに応じて、スクロール速度を変更することができない。【０００５】
例えば、タッチパネルの画面の左右方向が長辺となる場合、上下方向の長さが短い。このため、スクロール速度が速いと、使用者が所望する画像を探すことが困難となる。よって、使用者の利便性が充分でない。【０００６】
本発明は上記課題に鑑みてなされたものであり、画面の向きに応じてスクロール速度を調整することができる表示制御装置、及び表示制御方法を提供することを目的とする。
【課題を解決するための手段】
【０００７】
本発明に係る画像の表示を制御する表示制御装置は、タッチパネル部と、切り換え部と、速度調整部とを備える。前記タッチパネル部は、長辺と、短辺とを有する矩形状である。前記切り換え部は、前記タッチパネル部の左右方向が前記短辺となる第１表示状態と、前記タッチパネル部の左右方向が前記長辺となる第２表示状態と、を切り換える。前記速度調整部は、第１スクロール速度または、前記第１スクロール速度と異なる第２スクロール速度に調整する。前記第１スクロール速度は、前記第１表示状態におけるスクロール速度を示す。前記第２スクロール速度は、前記第２表示状態におけるスクロール速度を示す。【０００８】
本発明に係る長辺と短辺とを有する矩形状のタッチパネル部を備え、画像の表示を制御する表示制御装置が実行する表示制御方法は、切り換えステップと、速度調整ステップとを備える。前記切り換えステップは、前記タッチパネル部の左右方向が前記タッチパネル部の前記短辺となる第１表示状態と、前記タッチパネル部の左右方向が前記タッチパネル部の前記長辺となる第２表示状態と、を切り換える。前記速度調整ステップは、第１スクロール速度または、前記第１スクロール速度と異なる第２スクロール速度に調整する。前記第１スクロール速度は、前記第１表示状態におけるスクロール速度を示す。前記第２スクロール速度は、前記第２表示状態におけるスクロール速度を示す。
【発明の効果】
【０００９】
本発明によれば、画面の向きに応じてスクロール速度を調整することができる表示制御装置、及び表示制御方法を提供することができる。
【図面の簡単な説明】
【００１０】
【図１Ａ】は、タッチパネル部の左右方向が短辺となる表示制御装置を示す。
【図１Ｂ】は、タッチパネル部の左右方向が長辺となる表示制御装置を示す。
【図２】本発明の実施形態に係る表示制御装置を示す機能ブロック図である。
【図３】本発明の実施形態に係る表示制御部が実行する処理を示す図である。
【発明を実施するための形態】
【００１１】
以下、本発明の実施形態について、図面を参照しながら説明する。なお、図中、同一または相当部分については同一の参照符号を付して説明を繰り返さない。
【００１２】
まず、図１Ａ及び図１Ｂを参照して本発明の実施形態に係る表示制御装置１００を説明する。図１Ａ及び図１Ｂは、本発明の実施形態に係る表示制御装置１００を示す図である。図１Ａは、タッチパネル部２の左右方向が短辺２ｂとなる表示制御装置１００を示す。図１Ｂは、タッチパネル部２の左右方向が長辺２ａとなる表示制御装置１００を示す。図１Ａ及び図１ＢのＸ軸は、上下方向に延びる軸である。図１Ａ及び図１ＢのＹ軸は、左右方向に延びる軸である。本実施形態では、「左右」は、使用者側から表示制御装置１００を見たときの「左右」を示す。
【００１３】
表示制御装置１００は、例えば、スマートフォンまたはパソコンの一部として用いられる。表示制御装置１００は、タッチパネル部２と、記憶部３と、表示制御部４と、センサー５とを備える。
【００１４】
タッチパネル部２は、使用者からの操作を受け付ける。また、タッチパネル部２は、画像を表示する。タッチパネル部２は矩形状である。タッチパネル部２は、一対の長辺２ａと一対の短辺２ｂとを有する。
【００１５】
図１Ａに示すように、タッチパネル部２の長辺２ａは、Ｘ軸の方向に延びる。また、タッチパネル部２の短辺２ｂは、Ｙ軸の方向に延びる。つまり、タッチパネル部２の左右方向は短辺２ｂとなり、タッチパネル部２の上下方向は長辺２ａとなる。図１Ａに示すタッチパネル部２は、縦長の矩形状である。また、一方の短辺２ｂから他方の短辺２ｂまでの長さは長さＡである。
【００１６】
図１Ｂに示すように、タッチパネル部２の長辺２ａは、Ｙ軸の方向に延びる。また、タッチパネル部２の短辺２ｂは、Ｘ軸の方向に延びる。つまり、タッチパネル部２の左右方向は長辺２ａとなり、タッチパネル部２の上下方向は短辺２ｂとなる。図１Ｂに示すタッチパネル部２は、横長の矩形状である。また、一方の長辺２ａから他方の長辺２ａまでの長さは長さＢである。長辺２ａから長辺２ａまでの長さＢは、短辺２ｂから短辺２ｂまでの長さＡに比べて短い。
【００１７】
タッチパネル部２は、タッチパネル２１と、表示部２２とを含む。タッチパネル２１と表示部２２との形状は、タッチパネル部２と同様である。
【００１８】
タッチパネル２１は使用者の操作を検出する。例えば、使用者は指でタッチパネル２１を操作する。タッチパネル２１は、使用者の指が接触している位置を検出する。タッチパネル２１は、表示部２２に重なるように配置される。なお、タッチパネル２１は透明である。
【００１９】
また、タッチパネル２１は、使用者の指がタッチパネル２１に接触している状態で指を移動させる擦動を検出する。タッチパネル２１は、例えば、タッチパネル２１に対して行われるＸ軸方向の擦動を検出する。Ｘ軸方向は、上下方向を示す。タッチパネル２１に対して行われるＸ軸方向の擦動は、接触スクロールの例に相当する。
【００２０】
画像のスクロールは、タッチパネル２１の上側の辺から下側の辺に向かう方向の操作と、下側の辺から上側の辺に向かう方向の操作とを含む。
【００２１】
表示部２２は画像を表示する。表示部２２は、画面を含む。表示部２２は画面に任意の画像を表示する。また、表示部２２は、画像全体のうち一部の画像を表示してもよい。表示部２２は、液晶表示装置であってもよく、有機ＥＬ表示装置であってもよい。使用者は、タッチパネル２１を介して表示部２２の画面に表示された画像を視認できる。
【００２２】
また、図１Ａに示すように、表示部２２の画面が縦長の矩形状となる場合、表示部２２の画面は、上下方向が広く、左右方向が狭い。また、図１Ｂに示すように、表示部２２の画面が横長の矩形状となる場合、表示部２２の画面は、上下方向が狭く、左右方向が広い。
【００２３】
記憶部３は、制御プログラムと、画像とを記憶する。制御プログラムは、例えば、表示制御部４の動作を制御するプログラムを含む。
【００２４】
記憶部３は、記憶装置を含み、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００２５】
表示制御部４は、タッチパネル部２と、記憶部３とを制御する。表示制御部４は、ＣＰＵ（Ｃｅｎｔｒａｌ  Ｐｒｏｃｅｓｓｉｎｇ  Ｕｎｉｔ）のようなプロセッサーによって構成される。表示制御部４は、制御プログラムを実行することにより、表示制御装置１００の動作を制御する。また、表示制御部４は、表示制御装置１００を動作させる集積回路を備える。表示制御装置１００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００２６】
センサー５は、タッチパネル部２の傾きを検出する。センサー５は、例えば、３軸加速度センサーである。センサー５の検出結果は、表示制御部４に送信される。
【００２７】
次に、図２を参照して、表示制御部４について詳しく説明する。図２は、本発明の実施形態に係る表示制御装置１００を示す機能ブロック図である。
【００２８】
表示制御部４は、タッチパネル部２と、記憶部３と、センサー５とにそれぞれ接続されている。例えば、表示制御部４はタッチパネル部２の表示部２２を制御する。例えば、表示制御部４は、タッチパネル２１の検出結果に基づいて表示部２２の表示する画像を変更する。例えば、表示制御部４は、センサー５の検出結果を取得する。
【００２９】
表示制御部４は、タッチパネル２１が画像のスクロールを検出した場合、画像のスクロールに基づいて、表示部２２に表示されている画像とは別の画像を表示するように表示部２２を制御する。具体的には、表示制御部４は、画像のスクロールに基づいて、表示部２２に表示されている画像が別の画像に遷移するように表示部２２を制御する。表示部２２に表示されている画像は、例えば、画像全体のうちの一部である。また、表示部２２に表示されている画像とは別の画像は、例えば、表示部２２に表示されている画像とは異なる画像であり、画像全体のうちの他の一部である。
【００３０】
表示制御部４は、タッチパネル２１が画像のスクロールを検出しない状態となった際に、画像の遷移を終了させずに画像の遷移が続くように表示部２２を制御してもよい。このような表示部２２の制御は、慣性スクロールの例に相当する。慣性スクロールは、タッチパネル部２１に使用者の指が接触していない状態で行われる。慣性スクロールによって、画像のスクロールを頻繁に行う必要がなくなる。この結果、使用者の利便性が向上する。
【００３１】
また、表示制御部４は、センサー５の検出結果に基づいて、タッチパネル部２の画面の向きを判定する。具体的には、表示制御部４は、タッチパネル部２の傾きから、タッチパネル部２の左右方向が長辺２ａとなる画面の向きであるか否かを判定する。タッチパネル部２の左右方向が長辺２ａとなる画面の向きである場合、タッチパネル部２が横長状態となる。タッチパネル部２が横長状態でない場合、タッチパネル部２は、縦長状態となる。つまり、タッチパネル部２の左右方向が短辺２ｂとなる。
【００３２】
表示制御部４は、切り換え部４１と、速度調整部４２とを備える。具体的には、表示制御部４は、記憶部３に記憶された制御プログラムを実行して、切り換え部４１と速度調整部４２として機能する。
【００３３】
切り換え部４１は、表示部２２が表示状態を切り換えるように表示部２２を制御する。具体的には、切り換え部４１は、表示部２２が第１表示状態と第２表示状態とを切り換えるように表示部２２を制御する。また、切り換え部４１は、表示制御部４の判定結果に基づいて、表示状態を第１表示状態または第２表示状態に切り換えてもよい。
【００３４】
第１表示状態は、タッチパネル部２の左右方向が短辺２ｂとなる表示状態である。具体的には、第１表示状態は、タッチパネル部２の左右方向に略平行な辺が短辺２ｂとなる表示状態である。第１表示状態は、タッチパネル部２の上下方向が長辺２ａとなる表示状態である。具体的には、第１表示状態は、タッチパネル部２の上下方向に略平行な辺が長辺２ａとなる表示状態である。このため、タッチパネル部２の表示部２２の上下方向の長さは、表示部２２の左右方向の長さに比べて長い状態となる。
【００３５】
第２表示状態は、タッチパネル部２の左右方向が長辺２ａとなる表示状態である。具体的には、第２表示状態は、タッチパネル部２の左右方向に略平行な辺が長辺２ａとなる表示状態である。第２表示状態は、タッチパネル部２の上下方向が短辺２ｂとなる表示状態である。具体的には、第２表示状態は、タッチパネル部２の上下方向に略平行な辺が短辺２ｂとなる表示状態である。
このため、タッチパネル部２の表示部２２の上下方向の長さは、左右方向の長さに比べて短い状態となる。
【００３６】
また、第２表示状態の表示部２２の上下方向の長さは、第１表示状態の表示部２２の上下方向の長さと比べて短い。このため、第２表示状態で画像をスクロールした場合の画像の表示時間は、第１表示状態で画像をスクロールした場合の画像の表示時間と比べて、短い。画像は、画像全体のうち一部の画像である。また、画像のスクロール速度は、第１表示状態と第２表示状態とで同一である。
【００３７】
また、切り換え部４１は、スクロールの動作中にタッチパネル部２の画面の向きが変更された場合、タッチパネル部２の画面の向きに応じた表示状態に切り換えることが可能である。具体的には、スクロールの動作中にタッチパネル部２が縦長状態の画面の向きから横長状態の画面の向きとなる場合、切り換え部４１は、表示部２２の表示を第１表示状態から第２表示状態に切り換える。また、切り換え部４１は、画像のスクロールの動作中にタッチパネル部２が横長状態の画面の向きから縦長状態の画面の向きとなる場合、切り換え部４１は、表示部２２の表示を第２表示状態から第１表示状態に切り換える。
【００３８】
速度調整部４２は、画像のスクロール速度を調整する。具体的には、速度調整部４２は、画像のスクロール速度を第１スクロール速度または第２スクロール速度に調整する。第１スクロール速度と第２スクロール速度とは異なるスクロール速度である。第１スクロール速度は、第１表示状態におけるスクロール速度である。第２スクロール速度は、第２表示状態におけるスクロール速度である。
【００３９】
速度調整部４２は、切り換え部４１がタッチパネル部２の第１表示状態から第２表示状態に切り換えた場合に、第１スクロール速度から第２スクロール速度に調整する。また、速度調整部４２は、スクロールの動作中に切り換え部４１がタッチパネル部２の第１表示状態から第２表示状態に切り換えた場合に、画像のスクロール速度を第１スクロール速度から第２スクロール速度に調整する。具体的には、速度調整部４２は、第２スクロール速度を第１スクロール速度よりも遅くする。
【００４０】
タッチパネル部２の表示状態が第２表示状態となる場合、タッチパネル部２の上下方向が狭い。このため、第１スクロール速度で画像を遷移させると、画像の表示時間が短いため、使用者の望む画像を探せない。したがって、速度調整部４２は、第２表示状態においては、第１スクロール速度より遅い第２スクロール速度に調整する。この結果、画像を探すことが容易となり、使用者の利便性が向上する。
【００４１】
また、速度調整部４２は、切り換え部４１がタッチパネル部２の表示状態を第２表示状態から第１表示状態に切り換えた場合に、画像のスクロール速度を第２スクロール速度から第１スクロール速度に調整する。また、速度調整部４２は、画像のスクロールの動作中に切り換え部４１が第２表示状態から第１表示状態に切り換えた場合に、画像のスクロール速度を第２スクロール速度から第１スクロール速度に調整する。具体的には、速度調整部４２は、第２スクロール速度を第１スクロール速度に戻す。
【００４２】
タッチパネル部２の表示状態が、第１表示状態となる場合、タッチパネル部２の上下方向が広い。このため、第２スクロール速度で画像を遷移させると、画像の表示時間が長いため、使用者が望む画像を探す時間がかかる。したがって、速度調整部４２は、第１表示状態においては、第２スクロール速度より速い第１スクロール速度に調整する。この結果、画像を探すことが容易となり、使用者の利便性が向上する。
【００４３】
また、速度調整部４２は、スクロール時間の経過に伴って、スクロール速度を徐々に小さくしてもよい。また、速度調整部４２は、スクロール時間の経過に伴って、スクロール速度を任意の割合で低減させてもよい。例えば、接触スクロールした後に、慣性スクロールとなった場合に、速度調整部４２は、スクロール時間の経過に伴ってスクロール速度を徐々に小さくする。スクロール時間は、画像のスクロールが始まって終わるまでの時間を示す。
【００４４】
また、速度調整部４２は、設定部を有してもよい。設定部は、第１スクロール速度と第２スクロール速度とを設定する。例えば、設定部は、タッチパネル部２のアスペクト比によって第１スクロール速度と第２スクロール速度とを設定する。アスペクト比は、タッチパネル部２の縦横比を示す。タッチパネル部２のアスペクト比は、例えば、４：３である。設定部は、タッチパネル部２のアスペクト比に基づいて、第１スクロール速度と第２スクロール速度とを設定する。例えば、タッチパネル部２の縦を長辺２ａとし、タッチパネル部２の横を短辺２ｂとする場合、速度調整部４２は、タッチパネル部２の長辺２ａと短辺２ｂとの比に合わせて、第１スクロール速度と第２スクロール速度とを調整できる。この結果、第１スクロール速度と第２スクロール速度とを精度よく調整できる。
【００４５】
また、スクロールの動作中に切り換え部４１が第１表示状態から第２表示状態に切り換えた場合に、速度調整部４２は、第１スクロール速度から第２スクロール速度に調整する。そして、スクロールの動作中に切り換え部４１が第１表示状態から第２表示状態に切り換えた場合であっても、長辺２ａに対する短辺２ｂの比が閾値以上の場合、速度調整部４２は、スクロール速度を調整しない。また、スクロールの動作中に切り換え部４１が第２表示状態から第１表示状態に切り換えた場合に、速度調整部４２は、第２スクロール速度から第１スクロール速度に調整する。そして、スクロールの動作中に切り換え部４１が第２表示状態から第１表示状態に切り換えた場合であっても、長辺２ａに対する短辺２ｂの比が閾値以上の場合、速度調整部４２は、スクロール速度を調整しない。つまり、長辺２ａに対する短辺２ｂの比が大きくない場合は、スクロール速度が調整されない。そして、長辺２ａに対する短辺２ｂの比が大きくない場合は、スクロール速度を変更しないほうが、タッチパネル部２に表示された画像の目視が容易となる。
【００４６】
図１Ａから図３を参照して、表示制御部４の処理を説明する。表示制御部４の処理は、例えば表示制御部４を備えたコンピューターが行う。図３は、表示制御部４が実行する処理を示すフローチャートである。図３に示すように、表示制御部４が実行する処理は、ステップＳ１からステップＳ１７を含む。
【００４７】
図３に示すように、表示制御部４の処理がスタートすると、ステップＳ１が実行される。ステップＳ１において、表示制御部４は、表示部２２に画像全体のうち一部の画像を表示させる。
【００４８】
ステップＳ３において、タッチパネル部２は、画像のスクロールを受け付ける。表示制御部４は、タッチパネル部２から画像のスクロールの方向と、使用者の指の移動量との情報を取得する。また、表示制御部４は、画像のスクロールに合わせて、表示部２２に表示する画像が遷移するように表示部２２を制御する。
【００４９】
ステップＳ５において、表示制御部４は、スクロールの動作中に、タッチパネル部２の画面の向きが変更されたか否かを判定する。ステップＳ５において、画像のスクロールの動作中に、タッチパネル部２の画面の向きが変更されない場合（ステップＳ５においてＮｏ）、処理は、ステップＳ１３に進む。ステップＳ５において、画像のスクロールの動作中に、タッチパネル部２の画面の向きが変更された場合（ステップＳ５においてＹｅｓ）、処理は、ステップＳ７に進む。
【００５０】
ステップＳ７において、表示制御部４は、タッチパネル部２の左右方向が長辺２ａとなる画面の向きか否かを判定する。ステップＳ７において、表示制御部４がタッチパネル部２の左右方向が長辺２ａとなる画面の向きでないと判定した場合（ステップＳ７においてＮｏ）、処理は、ステップＳ１５に進む。ステップＳ７において、表示制御部４がタッチパネル部２の左右方向が長辺２ａとなる画面の向きであると判定した場合（ステップＳ７においてＹｅｓ）、処理はステップＳ９に進む。
【００５１】
ステップＳ９において、切り換え部４１は、表示制御部４の判定結果に基づいて、タッチパネル部２の表示部２２の表示を第１表示状態から第２表示状態となるように表示部２２を制御する。
【００５２】
ステップＳ１１において、速度調整部４２は、画像のスクロール速度が、第１スクロール速度から第２スクロール速度になるようにスクロール速度を調整する。
【００５３】
ステップＳ１３において、表示制御部４は、調整されたスクロール速度で画像が遷移するように表示部２２を制御する。例えば、速度調整部４２が、スクロール速度を第２スクロール速度に調整した場合、表示制御部４は、第２スクロール速度で画像が遷移するように表示部２２を制御する。また、速度調整部４２がスクロール速度を第１スクロール速度に調整した場合、表示制御部４は、表示部２２の表示が第１スクロール速度で画像が遷移するように表示部２２を制御する。
【００５４】
ステップＳ７において、Ｎｏの判定がされた場合、処理はステップＳ１５に進む。ステップＳ１５において、切り換え部４１は、表示制御部４の判定結果に基づいて、タッチパネル部２の表示部２２の表示を第２表示状態から第１表示状態となるように表示部２２を制御する。
【００５５】
ステップＳ１７において、速度調整部４２は、画像のスクロール速度が第２スクロール速度から第１スクロール速度となるようにスクロール速度を調整する。
【００５６】
ステップＳ５において、Ｎｏの判定がされた場合、処理はステップＳ１３に進む。ステップＳ１３は、スクロールの動作中にタッチパネル部２の画面の向きが変更されない場合の処理である。この場合、ステップＳ１３において、表示制御部４は、ステップＳ３において、受け付けられたスクロール速度で、画像を遷移させる。
【００５７】
本明細書において、ステップＳ１は、「タッチパネル部２を制御するステップ」の例に相当する。ステップＳ９とステップＳ１５とは、「第１表示状態と第２表示状態とを切り換えるステップ」の例に相当する。ステップＳ１１とステップＳ１７とは、「第１スクロール速度を第２スクロール速度に調整する調整ステップ」の例に相当する。
【００５８】
また、ステップＳ９とステップＳ１５とは、「切り換えステップ」の例に相当する。ステップＳ１１とステップＳ１７とは、「速度調整ステップ」の例に相当する。
【００５９】
以上、図面（図１Ａ〜図３）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００６０】
本発明は、表示制御装置、及び表示制御方法の分野に利用可能である。
【図１Ａ】
0006879390.tif 000002
【図１Ｂ】
0006879390.tif 000003
【図２】
0006879390.tif 000004
【図３】
0006879390.tif 000005